(57)【要約】【課題】  ワゴン本体の上部に形成した物品収納部への物品の出し入れを容易とするとともに、ワゴン本体の上面を天板代わりに使用しうるようにする。【解決手段】  底板３と、左右の両側板４と、後板５と、両側板４と後板５とにより囲まれた中間部に設けた物品載置板６とによりワゴン本体７を形成し、かつ該ワゴン本体７における物品載置板６より上方に、前面と上面が開口された物品収納部Ｓを形成してなるワゴン１において、物品載置板６より上方の両側板４の後端部に、物品収納部Ｓの上面と前面の開口を閉塞しうる上部閉塞板８ａと前部閉塞板８ｂを有する上扉８の後端を、上部閉塞板８ａがほぼ水平をなして物品収納部Ｓの開口を閉塞する閉扉位置から、後上方に回動して物品収納部Ｓを開放する開扉位置との間を回動するように枢着する。【選択図】  図２
2005095371.tif 000002
【特許請求の範囲】
【請求項１】
底板と、左右の両側板と、後板と、前記両側板と後板とにより囲まれた中間部に設けた物品載置板とによりワゴン本体を形成し、かつ該ワゴン本体における前記物品載置板より上方に、前面と上面が開口された物品収納部を形成してなるワゴンにおいて、
前記物品載置板より上方の両側板の後端部に、前記物品収納部の上面と前面の開口を閉塞しうる上部閉塞板と前部閉塞板を有する上扉の後端を、上部閉塞板がほぼ水平をなして前記物品収納部の開口を閉塞する閉扉位置から、後上方に回動して物品収納部を開放する開扉位置との間を回動するように枢着したことを特徴とするワゴン。
【請求項２】
上扉の前部閉塞板に、前面側に開口する上向き段状の手掛け部を設けた請求項１記載のワゴン。
【請求項３】
手掛け部を、前部閉塞板の最下端部に設けた請求項２記載のワゴン。
【請求項４】
手掛け部を前部閉塞板の全幅に亘って設けた請求項２または３記載のワゴン。
【請求項５】
手掛け部の前端に、前部閉塞板の前面と連続する下向片を突設することにより、前記手掛け部を上向き凹状としてなる請求項２〜４のいずれかに記載のワゴン。
【請求項６】
上扉を開扉位置に停止保持するストッパ手段を設けてなる請求項１〜５のいずれかに記載のワゴン。
【請求項７】
ストッパ手段が、少なくとも左右いずれか一方の側板の内面に後端が枢着され、かつ前端が、上扉の側面に形成された前後方向を向くガイド溝に摺動自在に係合したステーよりなり、かつ上扉を後上方に回動したとき、前記ステーの前端がガイド溝の後端に位置することにより、上扉が９０°を越える開扉位置で停止するようにした請求項６記載のワゴン。
【請求項８】
上扉の後端と側板との枢着部に、上扉を閉じる際に抵抗力を付与するダンパ装置を設けた請求項１〜７のいずれかに記載のワゴン。
【請求項９】
物品載置板の下方のワゴン本体内に、前方に引き出し可能な引出しを収容し、該引出しの前面板の上端部に、前面側に開口する凹状の手掛け部を、上扉の手掛け部と対向状に設けた請求項１〜８のいずれかに記載のワゴン。
【請求項１０】
引出しの凹状をなす手掛け部内に、下向きに押動することにより引出しの前方への引き出しを可能とする操作ハンドルを収容してなる請求項９記載のワゴン。
【請求項１１】
上扉に、該上扉を閉扉位置でロックしうる施錠装置を設けてなる請求項１〜１０のいずれかに記載のワゴン。
【発明の詳細な説明】
【技術分野】
【０００１】
本発明は、ワゴン本体の上部に形成された、前面と上面が開口する物品収納部を、開閉自在に閉塞しうるようにしたワゴンに関する。
【背景技術】
【０００２】
オフィス等において書類やＯＡ機器用の備品等を保管する際に用いられる移動可能なワゴン（キャビネット）の中には、ワゴン本体の上部に、上面板（物品載置板）と左右の両側板と後板とにより囲まれた、前面と上面が開口する物品収納部を形成し、この物品収納部における前面と上面の開口面を、両側板の対向面に形成したガイド溝に沿って摺動する屈曲自在なシャッタにより開閉しうるようにしたものがある（例えば特許文献１参照）。
【特許文献１】特開平１０−２１１０３４号公報
【発明の開示】
【発明が解決しようとする課題】
【０００３】
上記特許文献１に記載されている従来のワゴン（キャビネット）のように、ワゴン本体の上部の物品収納部を、両側板の対向面に形成されたガイド溝に沿って摺動する屈曲自在なシャッタにより開閉しうるようにしたものでは、シャッタを閉じた状態においてその上面が平滑面とならないので、ワゴンを机の側方に隣接して使用する際などに、シャッタの上面を作業面として利用することができない。
【０００４】
また、シャッタの左右の両端のみが、側板のガイド溝により支持されており、下方に撓み易いため、シャッタを天板代わりとして、重量のある物品を載置することができないという問題もある。
【０００５】
本発明は、上記問題点に鑑みてなされたもので、ワゴン本体の上部に形成された物品収納部への物品の出し入れを容易とするとともに、ワゴン本体における物品収納部の上面を天板代わりとして使用しうるようにしたワゴンを提供することを目的としている。
【課題を解決するための手段】
【０００６】
本発明によると、上記課題は、次のようにして解決される。
（１）底板と、左右の両側板と、後板と、前記両側板と後板とにより囲まれた中間部に設けた物品載置板とによりワゴン本体を形成し、かつ該ワゴン本体における前記物品載置板より上方に、前面と上面が開口された物品収納部を形成してなるワゴンにおいて、前記物品載置板より上方の両側板の後端部に、前記物品収納部の上面と前面の開口を閉塞しうる上部閉塞板と前部閉塞板を有する上扉の後端を、上部閉塞板がほぼ水平をなして前記物品収納部の開口を閉塞する閉扉位置から、後上方に回動して物品収納部を開放する開扉位置との間を回動するように枢着する。
【０００７】
（２）上記(１)項において、上扉の前部閉塞板に、前面側に開口する上向き段状の手掛け部を設ける。
【０００８】
（３）上記(２)項において、手掛け部を、前部閉塞板の最下端部に設ける。
【０００９】
（４）上記(２)または(３)項において、手掛け部を前部閉塞板の全幅に亘って設ける。
【００１０】
（５）上記(２)〜(４)項のいずれかにおいて、手掛け部の前端に、前部閉塞板の前面と連続する下向片を突設することにより、前記手掛け部を上向き凹状とする。
【００１１】
（６）上記(１)〜(５)項のいずれかにおいて、上扉を開扉位置に停止保持するストッパ手段を設ける。
【００１２】
（７）上記(６)項において、ストッパ手段が、少なくとも左右いずれか一方の側板の内面に後端が枢着され、かつ前端が、上扉の側面に形成された前後方向を向くガイド溝に摺動自在に係合したステーよりなり、かつ上扉を後上方に回動したとき、前記ステーの前端がガイド溝の後端に位置することにより、上扉が９０°を越える開扉位置で停止するようにする。
【００１３】
（８）上記(１)〜(７)項のいずれかにおいて、上扉の後端と側板との枢着部に、上扉を閉じる際に抵抗力を付与するダンパ装置を設ける。
【００１４】
（９）上記(１)〜(８)項のいずれかにおいて、物品載置板の下方のワゴン本体内に、前方に引き出し可能な引出しを収容し、該引出しの前面板の上端部に、前面側に開口する凹状の手掛け部を、上扉の手掛け部と対向状に設ける。
【００１５】
（10）上記(９)項において、引出しの凹状をなす手掛け部内に、下向きに押動することにより引出しの前方への引き出しを可能とする操作ハンドルを収容する。
【００１６】
（11）上記(１)〜(10)項のいずれかにおいて、上扉に、該上扉を閉扉位置でロックしうる施錠装置を設ける。
【発明の効果】
【００１７】
請求項１記載の発明によれば、ワゴン本体の上部に形成された、上面及び前面が開口する物品収納部を、後端を中心として開閉する上扉により閉塞したことにより、物品収納部の前面と上面が連続して大きく開口され、該物品収納部への物品出し入れを容易に行うことができる。
また、上扉を閉扉すると、上部閉塞板の上面が平坦面となるので、その上面を天板代わりとして物品を載置しうるとともに、ワゴンを机等と並べて使用することにより、机の天板を拡張して広い作業面を形成することができる。
【００１８】
請求項２記載の発明によれば、手掛け部に手を掛けて上扉を容易に開閉することができる。
【００１９】
請求項３記載の発明によれば、手掛け部が前部閉塞板の前面に露出しないので、見栄えが向上する。
【００２０】
請求項４記載の発明によれば、左右方向の任意の位置において、手掛け部に手を掛けて上扉を容易に開閉することができる。
【００２１】
請求項５記載の発明によれば、手掛け部に挿入した手が滑る恐れがないので、上扉の開閉操作がより容易に、かつ安全に行うことができる。
【００２２】
請求項６記載の発明によれば、ストッパ手段により上扉を開扉位置に停止しておけるので、物品収納部への物品の出し入れがより簡単となる。
【００２３】
請求項７記載の発明によれば、上扉を、ステーにより確実に開扉位置で停止させうるとともに、９０°を越える位置で停止させるので、物品収納部の上方が大きく開放され、大型の物品の出し入れが容易となる。
【００２４】
請求項８記載の発明によれば、ダンパ装置により上扉が緩やかに閉扉されるので、大きな閉扉音が発せられたり、手や指等を挟む恐れがなく安全である。
【００２５】
請求項９記載の発明によれば、上扉の前部閉塞板の下端と引出しの前面板の上端との間に手を挿し込み、それらに形成された手掛け部に手を掛けることにより、上扉を開閉したり、引出しを出し入れしたりすることができる。
【００２６】
請求項１０記載の発明によれば、凹状の手掛け部に手を掛けるのと同時に、操作ハンドルを簡単に押動操作することができる。
【００２７】
請求項１１記載の発明によれば、物品収納部に収納した物品の防盗性が向上する。
【発明を実施するための最良の形態】
【００２８】
以下、本発明の最良と思われる実施形態を、図面に基づいて説明する。
図１は、本発明のワゴン(１)の正面図、図２は、同じく、上半部を一部切欠いて示す側面図、図３は、同じく、要部を切欠いて示す拡大平面図、図４は、図２のIＶ−IＶ線の拡大縦断正面図である。
【００２９】
ワゴン(１)は、下面の四隅部にキャスタ(２)が取付けられた底板(３)と、左右の側板  (４)(４)と、後板(５)と、後端が後板(５)の前面（以下、図２の左方を前として説明する）より所要寸法前方に位置するとともに、前端が側板(４)の前端よりやや後方に位置するように、両側板(４)の上端より所要寸法離間する対向面間に固定された物品載置板(６)とよりなる、前面と上面が開口された箱状のワゴン本体(７)と、物品載置板(６)の上方の物品収納部(Ｓ)を開閉可能に閉塞する上扉(８)と、ワゴン本体(７)の後端部内に上方に引上げてロック保持しうるように収容された把手(９)とを備えている。
【００３０】
上扉(８)の後方の両側板(４)間に形成された上端の開口は、把手(９)の挿通口（図示略）を残して、短寸の上面板(10)により閉塞されている。
【００３１】
物品載置板(６)の下方のワゴン本体(７)内には、大きさの異なる上下２段の引出し(11)(11)が、両側板(４)の対向面に取付けられたガイド部材(12)に支持されて、前方に引き出し可能に収容されている。
【００３２】
両引出し(11)の前面板(11a)の上端部には、その前面と連続する前方の上向片(13a)を、その後方の上向片(13b)より短寸とすることにより、前面側に開口する側面視凹状の手掛け部(13)が、左右方向に全幅に亘って形成され、その内部には、図示しないラッチ装置に連係された操作ハンドル(14)が、下向きに押動操作可能に設けられている。
【００３３】
両引出し(11)は、上部の引出し(11)の前面に設けた施錠装置(15)のロックを解除たのち、操作ハンドル(14)を下向きに押動すると、図示しないラッチが回動して、前方に引き出し可能となる。
【００３４】
上扉(８)は、鋼板の周縁を下向き（前部は後向き）に折曲することにより、物品収納部(Ｓ)の上面の開口部を閉塞しうる上部閉塞板(8a)と、同じく前面の開口部を閉塞しうる前部閉塞板(8b)とからなる側面視ほぼ倒立Ｌ字状に形成され、裏面には、複数のブラケット(16)を介して、裏板(17)が取付けられている（図４参照）。
【００３５】
上記前部閉塞板(8b)の最下端部には、前部閉塞板(8b)の前面と連続する下向片(18a)の寸法を、その後方の下向片(18b)よりも短寸とすることにより、前面側に開口するとともに、上向きに凹入する手掛け部(18)が、左右方向に全幅に亘って形成されている。
【００３６】
この手掛け部(18)と、上記上段の引出し(11)の手掛け部(13)とは、互いに対向しており、かつそれらの前方の下向片(18a)と上向片(13a)との間には、手を挿入可能な手掛け空間(19)が形成されている。
【００３７】
物品収納部(Ｓ)内における両側板(４)の内面には、上扉(８)における上部閉塞板(8a)の左右の下向折曲片(8c)(8c)の下端が当接することにより、上扉(８)を、その上面が側板(４)の上端と同一面をなすように水平の閉扉位置で停止させる正面視外向コ字状断面をなす１対のストッパ板(20)(20)が固着されている。
【００３８】
図２及び図３に示すように、左右のストッパ板(20)における後端の対向面には、側面視くの字状をなす１対の扉支持ブラケット(21)(21)がねじ止めされ、それらの上端と、上扉(８)の後端の下向折曲片(8d)における左右両側部の内面（前面）に固着された、平面視コ字状のブラケット(22)(22)とには、径の異なる左右方向を向く軸同士が互いに相対回転することにより、上扉(８)を閉じる際に抵抗力を付与し、該上扉(８)を緩やかに閉じさせる公知のロータリダンパ(23)(23)が取付けられている。
【００３９】
図４及び図５に示すように、上扉(８)における左右の下向折曲片(8c)の内面中央部には、前後方向を向くガイド溝(24)を有する１対のガイド板(25)が、下向折曲片(8c)との間に若干の隙間が形成されるようにして、その前後両端部が固着されている。
【００４０】
上記両ガイド板(25)のガイド溝(24)には、上扉(８)の上方への最大回動量を規制し、該上扉(８)を開扉位置に停止保持するステー(26)の前端が、左右方向を向くスライドピン(27)の外端の拡径部(27a)を、ガイド溝(24)の前端の拡径溝(24a)を挿通して、ガイド板(25)の外面側に位置させることにより、前後に摺動自在に係合されている。
【００４１】
ステー(26)の後端は、若干後傾させた状態で、ストッパ板(20)の内面上部に、ピン(28)をもって回動可能に枢着されている。
【００４２】
これにより、上扉(８)は、図２の２点鎖線で示すように、９０°を若干越える最大位置（例えば１１０°前後）まで上向きに回動して停止し、物品収納部(Ｓ)の上方を大きく開放させうるようになっている。
【００４３】
上扉(８)を下向きの閉扉位置まで回動させた際には、物品収納部(Ｓ)における物品載置板(６)より前方の前面開口部と上面開口部とが閉塞される。
【００４４】
なお、図２に示すように、上扉(８)を閉扉位置にロックしうるキーシリンダ錠等の施錠装置(29)を、例えば上扉(８)前面の後部側の下向片(18b)の中央部に設け、施錠操作によりフック状のロック金具(30)を物品載置板(６)の係合孔（図示略）に係合させて、上扉(８)を閉扉位置にロックしうるようにしてもよい。
【００４５】
以上説明したように、上記実施形態のワゴン(１)において、物品載置板(６)の上方に形成された物品収納部(Ｓ)には、鋼板等よりなる、形状の固定された上扉(８)が、後上方に回動しうるように開閉自在に設けられているため、閉扉状態では、上扉(８)の上面が平坦面となり、これを天板代わりとして使用することができる。
【００４６】
また、上扉(８)は、後上方に９０°を越える位置まで開扉しうるので、物品収納部(Ｓ)を大きく開放することができ、ノート型パソコン等の大きな物品でも容易に出し入れすることができる。
【００４７】
本発明は、上記実施形態に限定されるものではない。
上記実施形態では、両側板(４)の内面にストッパ板(20)を固着し、この上面に上扉(８)
の両側部下面を当接させることにより、上扉(８)を閉扉位置で停止させるようにしているが、図６に示すように、上扉(８)を閉じたとき、その前部閉塞板(8b)の後部側の下端が物品載置板(６)の前端部上面に当接して閉扉位置で停止するようにしてもよい。
【００４８】
また、同図に示すように、手掛け部(18)を上向き凹状としないで、下向片(18a)を省略した上向き段状の手掛け部(31)としてもよい。
さらに、手掛け部(18)は、前部閉塞板(8b)の前面の中間部に設けることもある。
上記実施形態では、ステー(26)を左右１対設けているが、いずれか一方を省略することもある。
【００４９】
ステー(26)の前端部が摺動可能に係合されたガイド溝(24)を、上扉(８)の両側の下向折曲片(8c)に形成し、ガイド板(25)を省略することもある。
ロータリダンパ(22)は省略して実施することもある。
【図面の簡単な説明】
【００５０】
【図１】本発明のワゴンの一実施形態を示す正面図である。
【図２】同じく、側板の上半部を切欠いて示す側面図である。
【図３】同じく、要部の拡大平面図である。
【図４】図２のIＶ−IＶ線の拡大縦断正面図である。
【図５】図４のＶ−Ｖ線の縦断側面図である。
【図６】上扉開扉時の変形例と手掛け部の変形例を示す要部の拡大側面図である。
【符号の説明】
【００５１】
(１)ワゴン
(２)キャスタ
(３)底板
(４)側板
(５)後板
(６)物品載置板
(７)ワゴン本体
(８)上扉
(8a)上部閉塞板
(8b)前部閉塞板
(8c)(8d)下向折曲片
(９)把手
(10)上面板
(11)引出し
(11a)前面板
(12)ガイド部材
(13)手掛け部
(13a)(13b)上向片
(14)操作ハンドル
(15)施錠装置
(16)ブラケット
(17)裏板
(18)手掛け部
(18a)(18b)下向片
(19)手掛け空間
(20)ストッパ板
(21)扉支持ブラケット
(22)ブラケット
(23)ロータリダンパ
(24)ガイド溝
(24a)拡径溝
(25)ガイド板
(26)ステー
(27)スライドピン
(27a)拡径部
(28)ピン
(29)施錠装置
(30)ロック金具
(31)手掛け部
(Ｓ)物品収納部
【図１】
2005095371.tif 000003
【図２】
2005095371.tif 000004
【図３】
2005095371.tif 000005
【図４】
2005095371.tif 000006
【図５】
2005095371.tif 000007
【図６】
2005095371.tif 000008